(57)【特許請求の範囲】
【請求項１】
メモリ及びメモリに対し情報読み出しもしくは書き込みを行なうための情報処理回路を内蔵し、ケース表面の一部に前記メモリの記録内容に関する情報を表示する表示器及びメモリアクセス用の光透過部と、メモリ及び情報処理回路へ外部から受けた電源を供給しかつ挿入ガイドを兼ねる挿入ガイド溝とが形成されたメモリカセットを、トレイに収容した状態でカセット収容部内にローディングするトレイ式のローディング機構を備えるメモリ情報処理装置において、
前記トレイの収容部内に設けられ、前記挿入ガイド溝に係合して前記メモリカセットを収容状態にガイドするトレイ用カセットガイド部と、
このトレイ用カセットガイド部に設けられ、前記メモリカセットがトレイに収容された時に、前記挿入ガイド溝と電気的に接触して電源を前記メモリカセットのメモリ及び情報処理回路に供給し前記表示器に前記メモリの記録内容に関する情報を表示させる電源供給部と、
前記カセット収容部内のカセット固定位置に設けられ、前記トレイに収容されたメモリカセットが前記カセット収容部内にローディングされかつ前記メモリカセットのメモリ及び情報処理回路に電源が与えられた状態で、前記光透過部に対し光を用いて前記情報処理回路にアクセスし、前記メモリに対し情報の読み出し、書き込みの少なくとも一方を行なうメモリアクセス部とを具備してなることを特徴とするメモリカセットのメモリ情報処理装置。
【請求項２】
さらに、前記メモリアクセス部のメモリアクセス情報をユーザに提示する情報提示部を備えることを特徴とする請求項１記載のメモリカセットのメモリ情報処理装置。
【請求項３】
さらに、前記メモリアクセス部と外部装置との間でメモリアクセス情報の授受を行なう情報通信手段を備えることを特徴とする請求項１記載のメモリカセットのメモリ情報処理装置。
【請求項４】
さらに、前記メモリカセットのケース表面に前記挿入ガイド溝とは別にメモリ及び情報処理回路への電源供給のための電源受け部が設けられている場合に、
前記カセット収容部内に設けられ、当該カセット収容部に前記メモリカセットを収容したときに、前記電源受け部と電気的に接触して電源を前記メモリカセットのメモリ及び情報処理回路に供給するカセット収容部用電源供給部とを備えることを特徴とする請求項１記載のメモリカセットのメモリ情報処理装置。
【請求項５】
さらに、前記トレイの収容部内に設けられ、前記メモリカセットの光透過部に対し光を用いて前記情報処理回路にアクセスし、前記メモリに対する情報の読み出し、書き込みの少なくとも一方を行なうトレイ用メモリアクセス部を備えることを特徴とする請求項１記載のメモリカセットのメモリ情報処理装置。
【発明の詳細な説明】
【０００１】
【発明の属する技術分野】
この発明は、メモリカセットに内蔵されたメモリに対して情報の読み出し、書き込みの少なくとも一方を行なうメモリカセットのメモリ情報処理装置に関する。
【０００２】
【従来の技術】
従来、映像信号や音声信号などを記録する情報記録装置としては、テープカセットが挙げられる。このテープカセットは、その数が増大すると、どのテープカセットにどのような記録がなされているかという把握が難しくなり、希望の記録内容を素早く検索することが困難となってきている。
【０００３】
これに対し、テープカセットの内容の管理方法は、ユーザがテープカセットにラベル等を張り付け、これにユーザが手書きで記録内容を書き込むなど、通常はユーザの手に負っている部分が大きい。
【０００４】
また、ラベル等の張り付けが行われなかった場合は、テープカセットを記録再生装置本体内に挿入し、記録内容の再生を行われなければならないため、ユーザに対して時間・手間等を費やすことになる。
【０００５】
そこで、最近では、テープに代えて、音声信号や映像信号などを記録し、かつ記録内容に関するタイトル情報等を記録した半導体メモリと、この半導体メモリに対し情報読み出し、もしくは書込みを行なうための電気回路とを内蔵したメモリカセットが考えらている。このメモリカセットは、そのケース表面に液晶表示器を備えている場合に、記録内容に関するタイトル情報等を表示することが可能になる。
【０００６】
他にも、ＨＤＤ（ハードディスクドライブ）を内蔵したカセットも考えられる。これは安価であるが信頼性に欠ける。
【０００７】
ところで、上記メモリカセットでは、半導体メモリに対し、情報の読み出しもしくは書き込みを行なうために、電気回路に電源を供給する必要がある。そこで、メモリカセット内に電源部を設けると、内部の電気回路が複雑化し、メモリカセット自体のサイズが大型化することになる。また、記録再生装置のカセット収容部内に電源部を設けるようにしてもよいが、その分カセット収容部内に無駄なスペースが増えて、記録再生装置自体の大型化を招き、さらに、カセット収容部内の電源部とメモリカセットの電源受け部との位置ずれを起こして電源を供給できない場合もあり、有効な対策が望まれている。
【０００８】
【発明が解決しようとする課題】
以上のように、上記対策では、メモリカセット内のメモリ及び電気回路に電源を与えるために、記録再生装置自体の大型化を招き、さらに電源供給に対する信頼度が低いという問題を有している。
【０００９】
この発明の目的は、メモリカセットのメモリ及び電気回路に対して安定した電源供給を行なうことができ、これによりメモリに記録すべき情報を書き込み、かつ記録内容を簡単に認識することが可能なメモリカセットのメモリ情報処理装置を提供することにある。
【００１０】
【課題を解決するための手段】
この発明に係るメモリカセットのメモリ情報処理装置は、メモリ及びメモリに対し情報読み出しもしくは書き込みを行なうための情報処理回路を内蔵し、ケース表面の一部にメモリアクセス用の光透過部と、メモリ及び情報処理回路へ外部から受けた電源を供給しかつ挿入ガイドを兼ねる挿入ガイド溝とが形成されたメモリカセットを取り扱う装置であって、メモリカセットの少なくとも光透過部形成面を収容するカセット収容部と、カセット収容部内に設けられ、メモリカセットの収容時に、挿入ガイド溝に係合してメモリカセットを固定位置にガイドするカセットガイド部と、このカセットガイド部に設けられ、メモリカセット収容時に、挿入ガイド溝に電気的に接触してメモリカセットのメモリ及び情報処理回路に電源を供給する第１の電源供給部と、このカセット収容部内のカセット固定位置に設けられ、メモリカセットのメモリ及び情報処理回路に電源が与えられた状態で、光透過部に対し光を用いて情報処理回路にアクセスし、メモリに対し情報の読み出し、書き込みの少なくとも一方を行なうメモリアクセス部とを備えるようにしたものである。
【００１１】
この構成によれば、メモリカセットのメモリ及び情報処理回路に電源を与える電源供給部を、メモリカセットの挿入ガイド溝に係合してメモリカセットをその光透過部がメモリアクセス部に近接する位置に案内するカセットガイド部に一体に設けることにより、メモリカセットを単に収容部に収容することで、メモリカセットの情報処理回路と電源供給部とが接続されてメモリ及び情報処理回路に電源を供給することが可能となり、かつ光透過部がメモリアクセス部に近接し、メモリに対し非接触で情報書込み、読み出しが可能となる。
【００１２】
このため、メモリ及び情報処理回路にアクセスするためのコネクタ等を必要とせずに、メモリに記録すべき情報を迅速に書き込むことができ、かつ記録内容を読み出して調べることができ、信頼度が高くさらに小型軽量化及び低価格化にも寄与できる。
【００１３】
また、上記構成において、さらに、メモリアクセス部のメモリアクセス情報をユーザに提示する情報提示部を備えることを特徴とする。このようにすることで、ユーザは情報内容を簡単に認識することができるようになる。
【００１４】
また、上記構成において、さらに、メモリアクセス部と外部装置との間でメモリアクセス情報を転送する情報転送手段を備えることを特徴とする。このようにすることで、パーソナルコンピュータ等を用いてメモリカセットのメモリに対し、情報の読出しもしくは書込みを行なうことができるようになり、また、情報内容の管理も行なうことができる。
【００１５】
また、上記構成において、さらに、メモリカセットのケース表面に挿入ガイド溝とは別にメモリ及び情報処理回路への電源供給のための電源受け部が設けられている場合に、カセット収容部内に設けられ、当該カセット収容部にメモリカセットを収容したときに、電源受け部と電気的に接触して電源をメモリカセットのメモリ及び情報処理回路に供給する第２の電源供給部とを備えることを特徴とする。このようにすることで、メモリカセットのメモリ及び情報処理回路に対し、確実にかつ安定した電源供給を行なうことができる。
【００１６】
上記構成において、さらに、メモリカセットをトレイに収容した状態でカセット収容部内にローディングするトレイ式のローディング機構を備える場合に、トレイの収容部内に設けられ、挿入ガイド溝に係合してメモリカセットを収容状態に案内するトレイ用カセットガイド部と、このトレイ用カセットガイド部に設けられ、メモリカセットがトレイに収容された時に、挿入ガイド溝と電気的に接触して電源をメモリカセットのメモリ及び情報処理回路に供給する第３の電源供給部とを備えてなることを特徴とする。
【００１７】
この構成によれば、メモリカセットを単にトレイに乗せるだけで、メモリカセットのメモリ及び情報処理回路と電源供給部とが接続されてメモリ及び情報処理回路に電源を供給することができる。
【００１８】
また、上記構成において、さらに、トレイの収容部内に設けられ、メモリカセットの光透過部に対し光を用いて情報処理回路にアクセスし、メモリに対する情報の読み出し、書き込みの少なくとも一方を行なうトレイ用メモリアクセス部を備えることを特徴とする。
【００１９】
この構成によれば、メモリカセットを単にトレイに乗せるだけで、メモリカセットのメモリ及び情報処理回路と電源供給部とが接続されてメモリ及び情報処理回路に電源を供給することができるとともに、メモリに対し情報書き込みができるようになり、かつ記録情報内容を確認することができるようになる。
【００２０】
【発明の実施の形態】
以下、この発明の実施形態について図面を参照して詳細に説明する。
【００２１】
（第１の実施形態）
図１は、この発明に係るメモリ情報処理装置の一実施形態における斜視図である。また、図２は、一実施形態における要部の平面図であり、メモリカセットが挿入される様子を示している。さらに、図３は、この一実施形態で取り扱うメモリカセットの斜視図である。
なお、図１（ａ）はメモリカセットをメモリ情報処理装置本体に挿入する前の状態であり、図１（ｂ）はメモリカセットをメモリ情報処理装置本体に挿入した後の状態である。また、図２（ａ）はメモリカセットの挿入状態を正面から見て示した図であり、図２（ｂ）はメモリカセットの挿入状態を上から見て示した断面図である。
【００２２】
図１において、図中符号１００はメモリ情報処理装置本体で、その正面にメモリカセット２００の一部を挿入するための挿入口１１０と、本体の電源投入のためのボタン１２０と、メモリカセット２００に記録された情報表示のための表示部１３０と、メモリカセット２００に対し情報書込みのためのキーボード１４０とを備えている。このうち、挿入口１１０には、その内部の左右壁面にガイドレール１１１，１１２と、奥にメモリアクセス部１１３（図２で図示）とが設けられている。
【００２３】
また、メモリカセット２００は、その内部に図示しない半導体メモリと、この半導体メモリに対し情報読み出しもしくは書き込みを行なうための電気回路とが内蔵されている。そして、形状が直方体で、外側が直方形状の６つの壁から構成されており、ほこりやごみなどが外部から入らないように、全体が密閉された構造になっている。また、メモリカセット２００は、その左右側面にガイド溝２１１，２１２をカセット挿入方向に沿って形成しており、背面にメモリアクセス用の光透過窓２２０（図３で図示）を設けている。
【００２４】
次に、メモリカセット２００の半導体メモリ及び電気回路に対して電源を与える構成及びその構成による動作について説明する。
メモリカセット２００の左右のガイド溝２１１，２１２には、図２（ａ）に示すように、それぞれ内部の半導体メモリ及び電気回路に外部から受けた電源を供給するための電極２３１，２３２が設けられている。この場合、電極２３１を正とし、電極２３２を負としている。
【００２５】
また、左右のガイドレール１１１，１１２には、メモリカセット２００の収容時に、メモリカセット２００のガイド溝２１１，２１２にそれぞれ電気的に接触してメモリカセット２００の半導体メモリ及び電気回路に電源を供給する電源供給部（図示せず）が設けられている。すなわち、ガイドレール１１１，１１２は、その接触部が導電性のよい材料で形成されている。また、電源供給部は、ボタン１２０のオン・オフ動作に連動している。
【００２６】
このような構成により、メモリカセット２００は、その光透過窓２２０形成面からメモリ情報処理装置本体１００の挿入口１１０に図１及び図３中矢印Ａ方向に挿入されると、まずその左右のガイド溝２１１，２１２がガイドレール１１１，１１２に係合する。そして、図２（ｂ）に示すように、メモリカセット２００が挿入口１１０内に深く挿入されていくにつれて、ガイドレール１１１，１１２により、メモリカセット２００の光透過窓２２０がメモリアクセス部１１３に近接する位置に案内される。このとき、ガイドレール１１１，１１２がメモリカセット２００の左右のガイド溝２１１，２１２に係合していることにより、メモリカセット２００の電極２３１，２３２が電源供給部に電気的に接触していることになり、このため、メモリカセット２００の半導体メモリ及び電気回路と電源供給部とが接続されて半導体メモリ及び電気回路に電源を供給することが可能となる。
【００２７】
次に、メモリカセット２００の半導体メモリに対する情報書き込みを行なう構成及びその構成による動作について図４を参照して説明する。
メモリアクセス部１３０は、メモリカセット２００が挿入口１１０に挿入された状態で、光透過窓２２０に対し光信号を用いて電気回路にアクセスし、情報の書込みを行なう。すなわち、キーボード１４０により入力されたタイトル、記録年月日等の文字情報は、情報処理部１５０でメモリカセット２００に記録すべき情報であるか否かを判断し、記録すべき情報である場合に、インタフェース部１６０で光信号に変換され、電気回路を構成するインタフェース部２０１で文字情報に変換され、情報処理部２０２で半導体メモリ２０３に書き込まれる。また、半導体メモリ２０３に記録された情報は、キーボード１４０で読み出し指令が出されると、情報処理部２０２により読み出され、インタフェース１６０，２０１を介して情報処理部１５０にて表示部１３０に表示される。
【００２８】
なお、情報処理部１５０は、半導体メモリ２０３に記録された情報を、インタフェース部１７０を介して外部装置に転送を行なっており、また、外部装置から転送された情報をメモリ２０３に書き込むことも行なっている。このようにすれば、パーソナルコンピュータ等を用いてメモリカセット２００の半導体メモリ２０３に対し、情報の読出しもしくは書込みを行なうことができるようになり、また、情報内容の管理も行なうことができる。
【００２９】
以上のようにこの第１の実施形態によれば、メモリカセット２００の半導体メモリ２０３と、インタフェース部２０１及び情報処理部２０２を含む電気回路とに電源を与える電源供給部を、ガイドレール１１１，１１２に一体に設けることにより、メモリカセット２００を単にメモリ情報処理装置本体１００の挿入口１１０に収容することで、メモリカセット２００の半導体メモリ２０３及び電気回路と電源供給部とが接続されて半導体メモリ２０３及び電気回路に電源を供給することが可能となり、かつ光透過窓２２０がメモリアクセス部１１３に近接し、半導体メモリ２０３に対し非接触で情報の書込みが可能となる。すなわち、ガイドレール１１１，１１２は、メモリカセット２００を支持するものであるので、このガイドレール１１１，１１２に電源供給部を設ければ、メモリカセット２００の半導体メモリ２０３及び電気回路に対し充分に安定した電源供給ができるようになる。
【００３０】
このため、半導体メモリ２０３及び電気回路にアクセスするためのコネクタ等を必要とせずに、半導体メモリ２０３に対し記録すべき情報を迅速に書き込むことができ、かつ記録内容を読み出して簡単に調べることができるので、信頼度が高いメモリ情報処理装置本体１００を提供できるようになる。また、メモリカセット２００の半導体メモリ２０３及び電気回路に電源を与える電源供給部を別途に設ける必要がないので、メモリ情報処理装置本体１００自体の小型軽量化及び低価格化にも寄与できる。
【００３１】
また、メモリカセット２００の記録内容を表示部１３０に表示することにより、ユーザは記録内容を簡単に認識することができるようになる。
【００３２】
さらに、メモリアクセス部１１３と外部装置との間でメモリアクセス情報を転送する機能を設けておくことで、パーソナルコンピュータ等を用いてメモリカセット２００の半導体メモリに対し、情報の書き込みを行なうことができるようになり、また、メモリカセット２００の情報内容の管理も行なうことができる。
【００３３】
（第２の実施形態）
図５は、この発明の第２の実施形態の要部を上から見て示した断面図である。なお、図５において図２（ｂ）と同一部分には同一符号を付して詳細な説明を省略する。
すなわち、メモリカセット２００には、ガイド溝２１１，２１２とは別に半導体メモリ及び電気回路への電源供給のための電源受け部２３１，２３２が設けられている。また、メモリ情報処理装置本体１００の挿入口１１０内には、電源受け部２３１，２３２に対応する電源供給部１８１，１８２が設けられている。
【００３４】
そして、メモリカセット２００は、メモリ情報処理装置本体２００の挿入口１１０に挿入されると、その電源受け部２３１，２３２が電源供給部１８１，１８２に電気的に接触することとなり、以後、電源受け部２３１，２３２を介して半導体メモリ及び電気回路に電源が供給されることとなる。
【００３５】
このように第２の実施形態であれば、メモリカセット２００の収容時に、ガイドレール１１１，１１２からの電源供給に加えて、挿入口１１０内のカセット固定位置で電源供給部１８１，１８２からも電源を受けることができるので、メモリカセット２００の半導体メモリ及び電気回路に対し、確実にかつ安定した電源供給を行なうことができ、先の実施形態よりも信頼度を高めることができる。
【００３６】
（第３の実施形態）
この発明の第３の実施形態は、メモリ情報処理装置本体において、メモリカセットをトレイに収容した状態でカセット収容部内にローディングするトレイ式のローディング機構を備えたものである。
【００３７】
図７は、この第３の実施形態における要部構成を示す斜視図である。
図中符号３００はトレイ収容部で、その上面に開口部３１０が開設されており、この開口部３１０にメモリカセット２００が収容される。また、開口部３１０には、左右側壁にガイドレール３２１，３２２が設けられている。さらに、メモリカセット２００にも、その左右側面にガイド溝２４１，２４２がカセット厚み方向に沿って形成されている。
【００３８】
ガイドレール３２１，３２２には、上記ガイドレール２１１，２１２と同様に、電源供給部（図示せず）が一体に設けられている。また、ガイド溝２４１，２４２にも、外部から与えられた電源を半導体メモリ及び電気回路（図示せず）に供給するための電極が設けられている。
【００３９】
このような構成により、メモリカセット２００がトレイ収容部３００の開口部３１０に対し矢印Ｂ方向に挿入されると、ガイド溝２４１，２４２がガイドレール３２１，３２２に係合する。そして、メモリカセット２００は、ガイドレール３２１，３２２により、トレイ収容部３００に収容された状態となる。このとき、ガイド溝２４１，２４２がガイドレール３２１，３２２に係合していることにより、電源供給部が電極に電気的に接触していることになり、このため、メモリカセット２００の半導体メモリ及び電気回路と電源供給部とが接続されて半導体メモリ及び電気回路に電源が供給されることになる。以後、トレイ収容部３００がメモリ情報処理装置本体のカセット収容部内に引き込まれて、メモリカセット２００の光透過窓２２０とメモリアクセス部が近接することになり、半導体メモリに対する情報読み出しもしくは書込みが行われることになる。
【００４０】
このように第３の実施形態によれば、メモリカセット２００を単にトレイ収容部３００に収容するだけで、メモリカセット２００の半導体メモリ及び電気回路と電源供給部とが接続されて、半導体メモリ及び電気回路に電源を供給することができる。
【００４１】
なお、この第３の実施形態では、トレイ収容部３００の開口部３１０内にメモリカセット２００の光透過窓２２０に対し光信号を用いて電気回路にアクセスし、半導体メモリに対し情報の書き込みを行なうトレイ用メモリアクセス部を設けるようにしてもよい。このようにすることで、メモリカセットを単にトレイに乗せるだけで、メモリカセットの半導体メモリ及び電気回路と電源供給部とが接続されて、半導体メモリ及び電気回路に電源を供給することができるとともに、半導体メモリに対し情報の書き込みができるようになり、かつ記録情報内容を読み出して確認することができるようになる。
【００４２】
（その他の実施形態）
この発明は上記各実施形態に限定されるものではない。例えば、メモリカセットに液晶表示器を設けてもよい。このようにすることで、メモリカセットをメモリ情報処理装置本体に収容するだけで、即座に半導体メモリの記録情報内容の確認を行なうことができる。
【００４３】
また、メモリカセットをメモリ情報処理装置本体に挿入する方式についても、例えばカンガルーポケット方式のものであってもよい。さらに、メモリカセットに半導体メモリ以外のメモリを内蔵するようにしてもよい。
【００４４】
また、ガイドレール及びガイド溝についても、メモリカセットにガイドレールを設け、メモリ情報処理装置本体の挿入口内にガイド溝を設けるようにしてもよい。
【００４５】
その他、メモリ情報処理装置本体の構成、メモリカセットの構成、ガイドレールの種類、メモリカセットの半導体メモリ及び電気回路に対する電源供給方法、メモリアクセス方法等についても、この発明の要旨を逸脱しない範囲で種々変形して実施できる。
【００４６】
【発明の効果】
以上詳述したようにこの発明によれば、装置の小型軽量化及び低価格化を図った上でメモリカセットのメモリに対して安定した電源供給を行なうことができ、これによりメモリに記録すべき情報を書込み、また記録内容を読み出すことで簡単に認識することが可能なメモリカセットのメモリ情報処理装置を提供することができる。
【図面の簡単な説明】
【図１】この発明に係るメモリ情報処理装置の一実施形態を示す斜視図。
【図２】同実施形態における要部の平面図。
【図３】同実施形態で取り扱うメモリカセットの斜視図。
【図４】同実施形態におけるメモリカセット及びメモリ情報処理装置本体内部の処理構造を説明するために示す回路ブロック図。
【図５】この発明の第２の実施形態の要部構成を示す断面図。
【図６】この発明の第３の実施形態の要部構成を示す斜視図。
【符号の説明】
１００…メモリ情報処理装置本体、
１１０…挿入口、
１１１，１１２…ガイドレール、
１１３…メモリアクセス部、
１２０…ボタン、
１３０…表示部、
１４０…キーボード、
１５０，２０２…情報処理部、
１６０，１７０，２０１…インタフェース部、
２００…メモリカセット、
２１１，２１２，２４１，２４２…ガイド溝、
２２０…光透過窓、
２３１，２３２…電極、
３００…トレイ収容部、
３１０…開口部、
３２１，３２２…ガイドレール。
【図１】
0004334051.tif 000002
【図２】
0004334051.tif 000003
【図３】
0004334051.tif 000004
【図４】
0004334051.tif 000005
【図５】
0004334051.tif 000006
【図６】
0004334051.tif 000007